(57)【要約】【課題】  カード収納部の開放端縁を係止片によって係止し、カード収納部に収納したカードがカード収納部から飛び出てしまう可能性を少なくしたカード収納具を提供する。【解決手段】  台紙２と、透過性を有する一対の合成樹脂シート１１，１１とからなる。一対の合成樹脂シート１１，１１は、溶着部３１〜３７によって台紙２に取り付けられている。溶着部３１〜３７によって台紙２と合成樹脂シート１１，１１の間に、一端縁１２が開放されたカード収納部４１〜４４が形成されている。台紙２には、合成樹脂シート１１，１１の一端縁１２外側を係止し、カード収納部４１〜４４の開放を塞ぐ係止片５１，５５，６１，６５が形成されている。【選択図】        図１
2007307715.tif 000002
【特許請求の範囲】
【請求項１】
下記の要件を備えたことを特徴とするカード収納具。
（イ）台紙と、透過性を有する一対の合成樹脂シートとからなること。
（ロ）一対の合成樹脂シートは、台紙を挟んで両面に設けられ、台紙に形成された孔の位置で互いに溶着された溶着部によって台紙に取り付けられていること。
（ハ）前記溶着部は、少なくとも３カ所に形成され、当該溶着部によって台紙と合成樹脂シートの間に、合成樹脂シートの一端縁が開放されたカード収納部が形成されていること。
（ニ）台紙及び一対の合成樹脂シートは、他端縁側に綴じ孔が形成されていること。
（ホ）台紙には切り込みによって係止片が形成され、当該係止片は、引き出されて、前記カード収納部に収納されたカードの一端縁外側を係止し、カード収納部内のカードが外に飛び出すのを阻止するように構成されていること。
【請求項２】
下記の要件を備えたことを特徴とするカード収納具。
（イ）台紙と、透過性を有する一対の合成樹脂シートとからなること。
（ロ）一対の合成樹脂シートは、台紙を挟んで両面に設けられ、台紙に形成された孔の位置で互いに溶着された溶着部によって台紙に取り付けられていること。
（ハ）前記溶着部は、少なくとも３カ所に形成され、当該溶着部によって台紙と合成樹脂シートの間に、合成樹脂シートの一端縁が開放されたカード収納部が形成されていること。
（ニ）台紙及び一対の合成樹脂シートは、他端縁側に綴じ孔が形成されていること。
（ホ）台紙には切り込みによって係止片が形成され、当該係止片は、引き出されて合成樹脂シートの一端縁外側を係止し、カード収納部の開放を塞ぐように構成されていること。
【請求項３】
一対の合成樹脂シートは、一端縁を除く周縁が溶着されて袋状に形成されていることを特徴とする請求項１又は２記載のカード収納具。
【請求項４】
溶着部は、綴じ孔近傍に設けられ、カード収納部に収納されたカードが綴じ孔まで挿入されることを阻止する第１の溶着部と、カード収納部の一端縁近傍に設けられ、カード収納部に収納されたカードの両端をガイドする第２、第３の溶着部とからなることを特徴とする請求項１、２又は３記載のカード収納具。
【請求項５】
下記の要件を備えたことを特徴とするカード収納具。
（イ）台紙と、透過性を有する一対の合成樹脂シートとからなること。
（ロ）一対の合成樹脂シートは、台紙を挟んで両面に設けられ、一端縁を除いた他端縁と上端縁と下端縁が溶着されて袋状に形成されており、さらに、台紙に形成された孔の位置で互いに溶着された溶着部によって台紙に取り付けられていること。
（ハ）台紙及び一対の合成樹脂シートは、他端縁側に綴じ孔が形成されていること。
（ニ）前記溶着部は、綴じ孔近傍に設けられ、カード収納部に収納されたカードが綴じ孔まで挿入されることを阻止する他端側溶着部と、カード収納部の一端縁近傍に設けられ、カード収納部に収納されたカードの上端及び下端をガイドする上部溶着部及び下部溶着部とからなり、当該溶着部によって台紙と合成樹脂シートの間に、合成樹脂シートの一端縁が開放されたカード収納部が形成されていること。
（ホ）台紙には切り込みによって係止片が形成され、当該係止片は、引き出されて、前記カード収納部に収納されたカードの一端縁外側を係止し、カード収納部内のカードが外に飛び出すのを阻止するように構成されていること。
【請求項６】
下記の要件を備えたことを特徴とするカード収納具。
（イ）台紙と、透過性を有する一対の合成樹脂シートとからなること。
（ロ）一対の合成樹脂シートは、台紙を挟んで両面に設けられ、一端縁を除いた他端縁と上端縁と下端縁が溶着されて袋状に形成されており、さらに、台紙に形成された孔の位置で互いに溶着された溶着部によって台紙に取り付けられていること。
（ハ）台紙及び一対の合成樹脂シートは、他端縁側に綴じ孔が形成されていること。
（ニ）前記溶着部は、綴じ孔近傍に設けられ、カード収納部に収納されたカードが綴じ孔まで挿入されることを阻止する他端側溶着部と、カード収納部の一端縁近傍に設けられ、カード収納部に収納されたカードの上端及び下端をガイドする上部溶着部及び下部溶着部とからなり、当該溶着部によって台紙と合成樹脂シートの間に、合成樹脂シートの一端縁が開放されたカード収納部が形成されていること。
（ホ）台紙には切り込みによって係止片が形成され、当該係止片は、引き出されて合成樹脂シートの一端縁外側を係止し、カード収納部の開放を塞ぐように構成されていること。
【請求項７】
台紙には、係止片を覆い、係止片を引き出せないようにする剥離片が剥離可能に貼着されていることを特徴とする請求項１乃至６のいずれか１項に記載のカード収納具。
【請求項８】
前記剥離片は、透過性を有する軟質合成樹脂シートによって形成されていることを特徴とする請求項７記載のカード収納具。
【発明の詳細な説明】
【技術分野】
【０００１】
本発明は、カードを１枚ずつ収納することができるカード収納部が溶着部によって形成されたカード収納具に関する。
【背景技術】
【０００２】
従来 、カードを１枚ずつ収納することができるカード収納部を備えたカード収納具は、台紙と、透過性を有する一対の合成樹脂シートとからなる。一対の合成樹脂シートは、台紙を挟んで両面に設けられ、接着によって台紙に取り付けられている。当該カード収納具は、台紙と合成樹脂シートの間に、合成樹脂シートの一端縁が開放されたポケット（カード収納部）が形成されている。台紙は、一端縁側に綴じ孔が形成されている（例えば、特許文献１）。
【特許文献１】実開昭５８−１６８４６２号公報
【発明の開示】
【発明が解決しようとする課題】
【０００３】
上記従来のカード収納具は、ポケット（カード収納部）の一端縁が常に開放されているため、ポケット（カード収納部）に収納したカードがポケット（カード収納部）から飛び出てしまう可能性があるという問題点があった。また、従来のカード収納具は、カードホルダーのリング状綴じ具を綴じ孔に差し込んで、カードホルダーに回動可能に取り付けられ、ポケット（カード収納部）の一端縁（開放端縁）が綴じ孔側（内側）に向かって設けられている。従って、従来のカード収納具は、ポケット（カード収納部）からカードが飛び出してもカードホルダーのリング状綴じ具に当接するので、カードが紛失し難い反面、ポケット（カード収納部）の一端縁（開放端縁）が綴じ孔側（内側）に設けられているので、カードが収納し難いという問題点があった。さらに、カード収納具を捲るたびに一端縁（開放端縁）が下側を向くので、カードがポケット（カード収納部）から落下する虞があるという問題点があった。
【０００４】
本願発明は、上記問題点に鑑み案出したものであって、カード収納部の開放端縁又はカードを係止片によって係止し、カード収納部に収納したカードがカード収納部の開放端縁から飛び出てしまう可能性を少なくすると共に、カード収納部の開放端縁を綴じ孔の反対側に設け、カードの収納を容易にしたカード収納具を提供することを目的とする。
【課題を解決するための手段】
【０００５】
本願請求項１に係るカード収納具は、上記目的を達成するため、下記の構成を備えている。
（イ）台紙と、透過性を有する一対の合成樹脂シートとからなること。
（ロ）一対の合成樹脂シートは、台紙を挟んで両面に設けられ、台紙に形成された孔の位置で互いに溶着された溶着部によって台紙に取り付けられていること。
（ハ）前記溶着部は、少なくとも３カ所に形成され、当該溶着部によって台紙と合成樹脂シートの間に、合成樹脂シートの一端縁が開放されたカード収納部が形成されていること。
（ニ）台紙及び一対の合成樹脂シートは、他端縁側に綴じ孔が形成されていること。
（ホ）台紙には切り込みによって係止片が形成され、当該係止片は、引き出されて、前記カード収納部に収納されたカードの一端縁外側を係止し、カード収納部内のカードが外に飛び出すのを阻止するように構成されていること。
【０００６】
本願請求項２に係るカード収納具は、上記目的を達成するため、下記の構成を備えている。
（イ）台紙と、透過性を有する一対の合成樹脂シートとからなること。
（ロ）一対の合成樹脂シートは、台紙を挟んで両面に設けられ、台紙に形成された孔の位置で互いに溶着された溶着部によって台紙に取り付けられていること。
（ハ）前記溶着部は、少なくとも３カ所に形成され、当該溶着部によって台紙と合成樹脂シートの間に、合成樹脂シートの一端縁が開放されたカード収納部が形成されていること。
（ニ）台紙及び一対の合成樹脂シートは、他端縁側に綴じ孔が形成されていること。
（ホ）台紙には切り込みによって係止片が形成され、当該係止片は、引き出されて合成樹脂シートの一端縁外側を係止し、カード収納部の開放を塞ぐように構成されていること。
【０００７】
本願請求項３に係るカード収納具は、上記目的を達成するため、前記一対の合成樹脂シートは、一端縁を除く周縁が溶着されて袋状に形成されている。
【０００８】
本願請求項４に係るカード収納具は、上記目的を達成するため、前記溶着部は、綴じ孔近傍に設けられ、カード収納部に収納されたカードが綴じ孔まで挿入されることを阻止する第１の溶着部と、カード収納部の一端縁近傍に設けられ、カード収納部に収納されたカードの両端をガイドする第２、第３の溶着部とからなる。
【０００９】
本願請求項５に係るカード収納具は、上記目的を達成するため、下記の構成を備えている。
（イ）台紙と、透過性を有する一対の合成樹脂シートとからなること。
（ロ）一対の合成樹脂シートは、台紙を挟んで両面に設けられ、一端縁を除いた他端縁と上端縁と下端縁が溶着されて袋状に形成されており、さらに、台紙に形成された孔の位置で互いに溶着された溶着部によって台紙に取り付けられていること。
（ハ）台紙及び一対の合成樹脂シートは、他端縁側に綴じ孔が形成されていること。
（ニ）前記溶着部は、綴じ孔近傍に設けられ、カード収納部に収納されたカードが綴じ孔まで挿入されることを阻止する他端側溶着部と、カード収納部の一端縁近傍に設けられ、カード収納部に収納されたカードの上端及び下端をガイドする上部溶着部及び下部溶着部とからなり、当該溶着部によって台紙と合成樹脂シートの間に、合成樹脂シートの一端縁が開放されたカード収納部が形成されていること。
（ホ）台紙には切り込みによって係止片が形成され、当該係止片は、引き出されて、前記カード収納部に収納されたカードの一端縁外側を係止し、カード収納部内のカードが外に飛び出すのを阻止するように構成されていること。
【００１０】
本願請求項６に係るカード収納具は、上記目的を達成するため、下記の構成を備えている。
（イ）台紙と、透過性を有する一対の合成樹脂シートとからなること。
（ロ）一対の合成樹脂シートは、台紙を挟んで両面に設けられ、一端縁を除いた他端縁と上端縁と下端縁が溶着されて袋状に形成されており、さらに、台紙に形成された孔の位置で互いに溶着された溶着部によって台紙に取り付けられていること。
（ハ）台紙及び一対の合成樹脂シートは、他端縁側に綴じ孔が形成されていること。
（ニ）前記溶着部は、綴じ孔近傍に設けられ、カード収納部に収納されたカードが綴じ孔まで挿入されることを阻止する他端側溶着部と、カード収納部の一端縁近傍に設けられ、カード収納部に収納されたカードの上端及び下端をガイドする上部溶着部及び下部溶着部とからなり、当該溶着部によって台紙と合成樹脂シートの間に、合成樹脂シートの一端縁が開放されたカード収納部が形成されていること。
（ホ）台紙には切り込みによって係止片が形成され、当該係止片は、引き出されて合成樹脂シートの一端縁外側を係止し、カード収納部の開放を塞ぐように構成されていること。
【００１１】
本願請求項７に係るカード収納具は、上記目的を達成するため、前記台紙には、係止片を覆い、係止片を引き出せないようにする剥離片が剥離可能に貼着されている。
【００１２】
本願請求項８に係るカード収納具は、上記目的を達成するため、前記剥離片は、透過性を有する軟質合成樹脂シートによって形成されている。
【発明の効果】
【００１３】
本願発明に係るカード収納具は、台紙に形成された係止片によって、カードの一端縁外側を係止するように構成されているので、カード収納部に収納されたカードがカード収納部から飛び出ることを阻止し、カードを確実且つ安全に保持することができるという効果がある。
【００１４】
本願発明に係るカード収納具は、台紙に形成された係止片によって、合成樹脂シートの一端縁（開放端縁）外側を係止し、カード収納部の開放を塞ぐように構成されているので、カード収納部に収納されたカードがカード収納部の開放端縁から飛び出ることがなく、カードを確実且つ安全に保持することができるという効果がある。
【００１５】
本願発明に係るカード収納具は、台紙及び一対の合成樹脂シートの他端縁側の略同じ位置に綴じ孔が形成されているので、綴じ孔が台紙と一対の合成樹脂シートの三層で構成され、従来のように、綴じ孔が台紙のみの一層で構成されるのと比較して、格段に綴じ孔の強度が増しており、カードホルダーのリング状綴じ具を綴じ孔に通して取り付けられても、綴じ孔が破れてリング状綴じ具から外れてしまう虞が極めて少ないという効果がある。
【００１６】
本願発明に係るカード収納具は、第１の溶着部（他端側溶着部）が、綴じ孔近傍に設けられ、カード収納部に収納されたカードが綴じ孔まで挿入されることを阻止し、第２、第３の溶着部（上部溶着部、下部溶着部）が、カード収納部の一端縁近傍に設けられ、カード収納部に収納されたカードの両端をガイドするようになっている。即ち、本願発明に係るカード収納具は、カードホルダーのリング状綴じ具を綴じ孔に差し込んで、カードホルダーに回動可能に取り付けられた場合、カード収納部の開放端縁（一端縁）が綴じ孔と反対側の位置に設けられているため、カードを収納し易く、また捲っても開放端縁（一端縁）が上側に向いているので、カードがカード収納部の開放端縁から落下する虞がないという効果がある。なおカード収納具は、上記したように、係止片によってカードがカード収納部の開放端縁（一端縁）から飛び出ることがないので、カード収納部の開放端縁（一端縁）が綴じ孔と反対側の外側に向いていても、カードを安全且つ確実に保持する。
【００１７】
また、カード収納具は、第２、第３の溶着部（上部溶着部、下部溶着部）が、カード収納部の一端縁から離れていると、合成樹脂シートの一端縁（開放端縁）が大きく捲れるので、係止片が合成樹脂シートの一端縁（開放端縁）を係止していた場合、合成樹脂シートの一端縁（開放端縁）が係止片の係止を解除してしまう虞があるが、本願発明に係るカード収納具は、第２、第３の溶着部（上部溶着部、下部溶着部）が、カード収納部の一端縁近傍に設けられているので、合成樹脂シートの一端縁（開放端縁）が捲れ難くなっており、前記した係止片の係止を確実にすることができる。
【００１８】
本願発明に係るカード収納具は、台紙に、係止片を覆い、係止片を引き出せないようにする剥離片が剥離可能に貼着されているので、不用意に係止片を引き出すことがないという効果がある。また、前記剥離片が透過性を有する軟質合成樹脂シートによって形成されている場合には、係止片の存在を視認することができるという効果がある。
【発明を実施するための最良の形態】
【００１９】
本願発明に係るカード収納具の実施の形態を図１乃至図５に基づいて説明する。図１は、本願発明に係るカード収納具の一つの実施の形態を示す全体平面図である。図２は、図１の要部拡大図である。図３は、図１のカード収納具をカードホルダーに取り付けた状態を示す平面図である。図４は、図１のカード収納具の要部断面図である。図５は、カード収納具を取り付けたカードホルダーの説明図である。
【００２０】
カード収納具１は、台紙２と、透過性を有する一対の合成樹脂シート１１，１１とからなる。一対の合成樹脂シート１１，１１は、台紙２を挟んで両面３，５に設けられ、台紙２に形成された孔２１〜２７の位置で互いに溶着された溶着部３１〜３７によって台紙２に取り付けられている。前記溶着部３１〜３７は、少なくとも３カ所に形成され、当該溶着部３１〜３７によって台紙２と合成樹脂シート１１の間に、合成樹脂シート１１の一端縁１２が開放されたカード収納部４１〜４４が形成されている。
【００２１】
一対の合成樹脂シート１１，１１は、一端縁１２を除く周縁、即ち、他端縁１３と上端縁１４と下端縁１５が溶着されて袋状に形成されている。台紙２及び一対の合成樹脂シート１１，１１は、他端縁１３側の略同じ位置に綴じ孔１６が形成されている。前記溶着部は、綴じ孔１６近傍に設けられ、カード収納部４１〜４４に収納されたカードＣが綴じ孔１６まで挿入されることを阻止する第１の溶着部（他端側溶着部）３１〜３４と、カード収納部４１〜４４の一端縁１２近傍に設けられ、カード収納部４１〜４４に収納されたカードＣの両端（上端及び下端）Ｃ１，Ｃ２をガイドする第２、第３の溶着部（上部溶着部及び下部溶着部）３５〜３７とからなる。
【００２２】
台紙２には切り込み５２，５６，６２，６６によって係止片５１，５５，６１，６５が形成されている。係止片５１，５５，６１，６５は、引き出されて、前記カード収納部４１〜４４に収納されたカードＣの一端縁Ｃ４外側を係止し、カード収納部４１〜４４内のカードＣが外に飛び出すのを阻止するように構成されている。なお、係止片５１，５５，６１，６５は、引き出されて合成樹脂シート１１，１１の一端縁１２，１２外側を係止し、カード収納部４１〜４４の開放を塞ぐように構成されていても良い。台紙２には、係止片５１，５５，６１，６５を覆い、係止片５１，５５，６１，６５を引き出せないようにする剥離片７０が剥離可能に貼着されている。前記剥離片７０は、透過性を有する軟質合成樹脂シートによって形成されている。
【００２３】
さらにカード収納具について図１乃至図４に基づいて詳細に説明する。カード収納具１は、台紙２と、透過性を有する一対の合成樹脂シート１１，１１とからなる。台紙２は、矩形状の厚紙で形成されている。合成樹脂シート１１，１１は、内部を見ることができるように透明であり、溶着できるようにポリプロピレン等の薄いシート素材で形成されている。合成樹脂シート１１，１１は、横方向の長さが前記台紙２の短手方向の長さの略半分であり、縦方向の長さが前記台紙２の長手方向の長さより僅かに長く形成されている。
【００２４】
一対の合成樹脂シート１１，１１は、台紙２を挟んで両面３，５に設けられ、長手方向の一端縁１２を除く周縁、即ち、長手方向の他端縁１３、短手方向の上端縁１４及び下端縁１５が溶着されて袋状に形成されている。台紙２及び一対の合成樹脂シート１１，１１には、他端縁１３近傍であって、他端縁１３と略平行に綴じ孔１６が等間隔で並べられて設けられている。従って、綴じ孔１６は、台紙２及び一対の合成樹脂シート１１，１１の３枚で形成されていることになる。
【００２５】
一対の合成樹脂シート１１，１１は、台紙２の７カ所に形成された長孔２１〜２７の位置で互いに溶着された７カ所の溶着部３１〜３７によって台紙２に取り付けられている。前記溶着部３１〜３７は、台紙２と合成樹脂シート１１，１１の間に、合成樹脂シート１１，１１の一端縁１２，１２が開放されたカード収納部４１〜４４を形成する。即ち、台紙２の一方の面３には、カード収納部４１，４２が形成され、台紙２の他方の面５には、カード収納部４３，４４が形成される。
【００２６】
台紙２の一方の面３の上部にはカード収納部４１が形成される。カード収納部４１は、台紙２の綴じ孔１６近傍に設けられた長孔２１，２２の位置で一対の合成樹脂シート１１，１１が互いに溶着された溶着部３１,３２と、台紙２の上端縁６近傍に設けられた長孔２５の位置で一対の合成樹脂シート１１，１１が互いに溶着された溶着部３５と、台紙２の略中央に設けられた長孔２６の位置で一対の合成樹脂シート１１，１１が互いに溶着された溶着部３６とで構成され、合成樹脂シート１１の一端縁１２が開放されている。
【００２７】
溶着部３５、３６は、合成樹脂シート１１の一端縁１２近傍に設けられている。溶着部３１，３２は、カード収納部４１の他端縁１３側に設けられ、カード収納部４１に収納されたカードＣの先端縁Ｃ３と当接し、カードＣが綴じ孔１６まで挿入されることを阻止する。溶着部３５は、カード収納部４１の上部に設けられ、カード収納部４１に収納されたカードＣの上端縁Ｃ１をガイドする。溶着部３６は、カード収納部４１の下部に設けられ、カード収納部４１に収納されたカードＣの下端縁Ｃ２をガイドする。本実施の形態では、カードＣの先端縁Ｃ３と当接する溶着部３１，３２を二つ形成したが、溶着部を一つにしても構わない。即ち、カード収納部を形成するには、カードＣの先端縁Ｃ３と当接する溶着部と、カードＣの下端縁Ｃ２と当接する溶着部と、カードＣの上端縁Ｃ１と当接する溶着部の少なくとも３カ所あれば良い。
【００２８】
台紙２の一方の面３の下部にはカード収納部４２が形成される。カード収納部４２は、台紙２の綴じ孔１６近傍に設けられた長孔２３，２４の位置で一対の合成樹脂シート１１，１１が互いに溶着された溶着部３３,３４と、前記した台紙２の略中央に設けられた溶着部３６と、台紙２の下端縁７近傍に設けられた長孔２７の位置で一対の合成樹脂シート１１，１１が互いに溶着された溶着部３７とで構成され、合成樹脂シート１１の一端縁１２が開放されている。
【００２９】
溶着部３７は、合成樹脂シート１１の一端縁１２近傍に設けられている。溶着部３３，３４は、カード収納部４２の他端縁１３側に設けられ、カード収納部４２に収納されたカードＣの先端縁Ｃ３と当接し、カードＣが綴じ孔１６まで挿入されることを阻止する。溶着部３６は、カード収納部４２の上部に設けられ、カード収納部４２に収納されたカードＣの上端縁Ｃ１をガイドする。溶着部３７は、カード収納部４２の下部に設けられ、カード収納部４２に収納されたカードＣの下端縁Ｃ２をガイドする。
【００３０】
台紙２の他方の面５の上部にはカード収納部４３が形成される。カード収納部４３は、カード収納部４１と同様に、溶着部３１,３２と、溶着部３５と、溶着部３６とで構成され、合成樹脂シート１１の一端縁１２が開放されている。溶着部３１，３２は、カード収納部４３の他端縁１３側に設けられ、カード収納部４３に収納されたカードＣの先端縁Ｃ３と当接し、カードＣが綴じ孔１６まで挿入されることを阻止する。溶着部３５は、カード収納部４３の上部に設けられ、カード収納部４３に収納されたカードＣの上端縁Ｃ１をガイドする。溶着部３６は、カード収納部４３の下部に設けられ、カード収納部４３に収納されたカードＣの下端縁Ｃ２をガイドする。
【００３１】
台紙２の他方の面５の下部にはカード収納部４４が形成される。カード収納部４４は、カード収納部４２と同様に、溶着部３３,３４と、溶着部３６と、溶着部３７とで構成され、合成樹脂シート１１の一端縁１２が開放されている。溶着部３３，３４は、カード収納部４４の他端縁１３側に設けられ、カード収納部４４に収納されたカードＣの先端縁Ｃ３と当接し、カードＣが綴じ孔１６まで挿入されることを阻止する。溶着部３６は、カード収納部４４の上部に設けられ、カード収納部４４に収納されたカードＣの上端縁Ｃ１をガイドする。溶着部３７は、カード収納部４４の下部に設けられ、カード収納部４４に収納されたカードＣの下端縁Ｃ２をガイドする。
【００３２】
台紙２の略中央には、縦に並んで４つの係止片５１，５５，６１，６５が形成されている。係止片５１，５５は、カード収納部４１，４３の略中央に位置する一端縁１２,１２近傍に並設されている。係止片６１，６５は、カード収納部４２，４４の略中央に位置する一端縁１２,１２近傍に並設されている。係止片５１，５５，６１，６５は、台紙２に半円状の切り込み５２,５６,６２,６６を入れることによって半円状に形成される。
【００３３】
係止片５１、５５は、大部分がカード収納部４１、４３内に入り込むが、切り込み５２、５６の終端を結ぶ接続線５３、５７がカード収納部４１、４３から出ており、接続線５３、５７を中心にして折り曲げると、カード収納部４１、４３内から引き出される。係止片６１、６５は、大部分がカード収納部４２、４４内に入り込むが、切り込み６２、６６の終端を結ぶ接続線６３、６７がカード収納部４２、４４から出ており、接続線６３、６７を中心にして折り曲げると、カード収納部４２、４４内から引き出される。
【００３４】
係止片５１は、台紙２の一方の面３側に引き出されて合成樹脂シート１１の一端縁１２外側を係止し、カード収納部４１の開放を塞ぐように構成されている。係止片５５は、台紙２の他方の面５側に引き出されて合成樹脂シート１１の一端縁１２外側を係止し、カード収納部４３の開放を塞ぐように構成されている。係止片６１は、台紙２の一方の面３側に引き出されて合成樹脂シート１１の一端縁１２外側を係止し、カード収納部４２の開放を塞ぐように構成されている。係止片６５は、台紙２の他方の面５側に引き出されて合成樹脂シート１１の一端縁１２外側を係止し、カード収納部４４の開放を塞ぐように構成されている。
【００３５】
上記台紙２には、係止片５１，５５，６１，６５を覆い、係止片５１，５５，６１，６５を引き出せないようにする剥離片７０が剥離可能に貼着されている。剥離片７０は、透過性を有する軟質合成樹脂シートによって形成されている。剥離片７０は、台紙２の両方の面３，５に貼られているが、両方の面３，５のいずれか一方の面だけに貼るようにしても構わない。
【００３６】
カード収納具１は、上記構成を有し、以下のように使用することができる。合成樹脂シート１１，１１は、横方向の長さが前記台紙２の短手方向の長さの略半分であり、縦方向の長さが前記台紙２の長手方向の長さより僅かに長く形成されているので、台紙２の短手方向の略半分が露出しており、露出した両面３，５を記入欄（メモ欄）として利用することができる。台紙２から剥離片７０を剥離し、カード収納部４１〜４４の一端縁１２側からカード収納部４１〜４４内にカードＣを収納する。一端縁１２は、開放されているので、カード収納部４１〜４４の開放端縁でもある。一端縁（開放端縁）１２は、溶着部３５，３６、３７が合成樹脂シート１１の一端縁１２近傍に設けられているので、大きく開くことがない。
【００３７】
カード収納部４１,４３内に収納されたカードＣは、カードＣの先端縁Ｃ３が溶着部３１，３２と当接し、カードＣの上端縁Ｃ１が溶着部３５によって支持され、カードＣの下端縁Ｃ２が溶着部３６によって支持される。カード収納部４２,４４内に収納されたカードＣは、カードＣの先端縁Ｃ３が溶着部３３，３４と当接し、カードＣの上端縁Ｃ１が溶着部３６によって支持され、カードＣの下端縁Ｃ２が溶着部３７によって支持される。
【００３８】
係止片５１は、台紙２の一方の面３側に引き出し、合成樹脂シート１１の一端縁１２側に重ねることにより、カード収納部４１の一端縁１２外側を係止し、カード収納部４１の開放を規制する。カード収納部４１に収納されたカードＣは、係止片５１によりカード収納部４１の一端縁（開放端）１２側から飛び出すことが阻止される。このようにカード収納部４１に収納されたカードＣは、溶着部３１，３２と、溶着部３５と、溶着部３６と、係止片５１によって保持されている。また、カード収納部４１に収納されたカードＣは、係止片５１を合成樹脂シート１１の一端縁１２から引き離すようにすれば、カード収納部４１の係止が解除され、カード収納部４１内から引き出すことができる。
【００３９】
係止片５５は、台紙２の他方の面５側に引き出し、合成樹脂シート１１の一端縁１２側に重ねることにより、カード収納部４３の一端縁１２外側を係止し、カード収納部４３の開放を規制する。カード収納部４３に収納されたカードＣは、係止片５５によりカード収納部４３の一端縁（開放端）１２側から飛び出すことが阻止される。このようにカード収納部４３に収納されたカードＣは、溶着部３１，３２と、溶着部３５と、溶着部３６と、係止片５５によって保持されている。また、カード収納部４３に収納されたカードＣは、係止片５５を合成樹脂シート１１の一端縁１２から引き離すようにすれば、カード収納部４３の係止が解除され、カード収納部４３内から引き出すことができる。
【００４０】
係止片６１は、台紙２の一方の面３側に引き出し、合成樹脂シート１１の一端縁１２側に重ねることにより、カード収納部４２の一端縁１２外側を係止し、カード収納部４２の開放を規制する。カード収納部４２に収納されたカードＣは、係止片６１によりカード収納部４２の一端縁（開放端）１２側から飛び出すことが阻止される。このようにカード収納部４２に収納されたカードＣは、溶着部３３，３４と、溶着部３６と、溶着部３７と、係止片６１によって保持されている。また、カード収納部４２に収納されたカードＣは、係止片６１を合成樹脂シート１１の一端縁１２から引き離すようにすれば、カード収納部４２の係止が解除され、カード収納部４２内から引き出すことができる。
【００４１】
係止片６５は、台紙２の他方の面５側に引き出し、合成樹脂シート１１の一端縁１２側に重ねることにより、カード収納部４４の一端縁１２外側を係止し、カード収納部４４の開放を規制する。カード収納部４４に収納されたカードＣは、係止片６５によりカード収納部４４の一端縁（開放端）１２側から飛び出すことが阻止される。このようにカード収納部４４に収納されたカードＣは、溶着部３３，３４と、溶着部３６と、溶着部３７と、係止片６５によって保持されている。また、カード収納部４４に収納されたカードＣは、係止片６５を合成樹脂シート１１の一端縁１２から引き離すようにすれば、カード収納部４４の係止が解除され、カード収納部４４内から引き出すことができる。上記したカード収納具１は、図３，５に示すように、カードホルダー８０のリング状綴じ具８１を綴じ孔１６に挿通して、カードホルダー８０に取り付けることができる。
【００４２】
なお、係止片５１，５５，６１，６５は、以下のように使用することもできる。係止片５１は、台紙２の一方の面３側に引き出してからカード収納部４１内に差し込み、カード収納部４１に収納されたカードＣの後端縁（一端縁）Ｃ４側に直接重ねることにより、カードＣを係止し、カードＣがカード収納部４１の一端縁（開放端）１２側から外に飛び出すことを阻止することができる。このようにカード収納部４１に収納されたカードＣは、溶着部３１，３２と、溶着部３５と、溶着部３６と、係止片５１によって保持されている。カード収納部４１に収納されたカードＣは、係止片５１をカードＣの後端縁（一端縁）Ｃ４から引き離すようにすれば、カードＣに対する係止が解除され、カード収納部４１内から引き出すことができる。
【００４３】
係止片５５は、台紙２の他方の面５側に引き出してからカード収納部４３内に差し込み、カード収納部４３に収納されたカードＣの後端縁（一端縁）Ｃ４側に直接重ねることにより、カードＣを係止し、カードＣがカード収納部４３の一端縁（開放端）１２側から外に飛び出すことを阻止することができる。このようにカード収納部４３に収納されたカードＣは、溶着部３１，３２と、溶着部３５と、溶着部３６と、係止片５５によって保持されている。カード収納部４３に収納されたカードＣは、係止片５５をカードＣの後端縁（一端縁）Ｃ４から引き離すようにすれば、カードＣに対する係止が解除され、カード収納部４３内から引き出すことができる。
【００４４】
係止片６１は、台紙２の一方の面３側に引き出してからカード収納部４２内に差し込み、カード収納部４２に収納されたカードＣの後端縁（一端縁）Ｃ４側に直接重ねることにより、カードＣを係止し、カードＣがカード収納部４２の一端縁（開放端）１２側から外に飛び出すことを阻止することができる。このようにカード収納部４２に収納されたカードＣは、溶着部３３，３４と、溶着部３６と、溶着部３７と、係止片６１によって保持されている。カード収納部４２に収納されたカードＣは、係止片６１をカードＣの後端縁（一端縁）Ｃ４から引き離すようにすれば、カードＣに対する係止が解除され、カード収納部４２内から引き出すことができる。
【００４５】
係止片６５は、台紙２の他方の面５側に引き出してからカード収納部４４内に差し込み、カード収納部４４に収納されたカードＣの後端縁（一端縁）Ｃ４側に直接重ねることにより、カードＣを係止し、カードＣがカード収納部４４の一端縁（開放端）１２側から外に飛び出すことを阻止することができる。このようにカード収納部４４に収納されたカードＣは、溶着部３３，３４と、溶着部３６と、溶着部３７と、係止片６５によって保持されている。カード収納部４４に収納されたカードＣは、係止片６５をカードＣの後端縁（一端縁）Ｃ４から引き離すようにすれば、カードＣに対する係止が解除され、カード収納部４４内から引き出すことができる。
【００４６】
カード収納具１は、台紙２に形成された係止片５１，５５，６１，６５によって、カードＣの一端縁Ｃ４外側を直接係止するように構成されているので、カード収納部４１〜４４に収納されたカードＣがカード収納部４１〜４４から飛び出ることを阻止し、カードＣを確実且つ安全に保持することができる。
【００４７】
カード収納具１は、台紙２に形成された係止片５１，５５，６１，６５によって、合成樹脂シート１１の一端縁（開放端縁）１２外側を係止し、カード収納部４１〜４４の開放を塞ぐように構成されているので、カード収納部４１〜４４に収納されたカードＣがカード収納部４１〜４４の一端縁（開放端縁）１２から飛び出ることがなく、カードＶを確実且つ安全に保持することができる。
【００４８】
カード収納具１は、台紙２及び一対の合成樹脂シート１１の他端縁１３側の略同じ位置に綴じ孔１６が形成されているので、綴じ孔１６が台紙２と一対の合成樹脂シート１１，１１の三層で構成され、従来のように、綴じ孔が台紙のみの一層で構成されるのと比較して、格段に綴じ孔の強度が増しており、カードホルダー８０のリング状綴じ具８１を綴じ孔１６に通して取り付けられても、綴じ孔１６が破れてリング状綴じ具８１から外れてしまう虞が極めて少ない。
【００４９】
カード収納具１は、第１の溶着部（他端側溶着部）３１〜３４が、綴じ孔１６近傍に設けられ、カード収納部４１〜４４に収納されたカードＣが綴じ孔１６まで挿入されることを阻止し、第２、第３の溶着部（上部溶着部、下部溶着部）３５〜３７が、カード収納部４１〜４４の一端縁１２近傍に設けられ、カード収納部４１〜４４に収納されたカードＣの両端Ｃ１，Ｃ２を支持するようになっている。即ち、カード収納具１は、カードホルダー８０のリング状綴じ具８１を綴じ孔１６に差し込んで、カードホルダー８０に回動可能に取り付けられた場合、カード収納部４１〜４４の開放端縁（一端縁）１２が綴じ孔１６と反対側の位置に設けられているため、カードＣを収納し易く、また捲っても開放端縁（一端縁）１２が上側に向いているので、カードＣがカード収納部４１〜４４の開放端縁（一端縁）１２から落下する虞がない。なおカード収納具１は、係止片５１，５５，６１，６５によってカードＣがカード収納部４１〜４４の開放端縁（一端縁）１２から飛び出ることがないので、カード収納部４１〜４４の開放端縁（一端縁）１２が綴じ孔１６と反対側の外側に向いていても、カードＣを安全且つ確実に保持する。
【００５０】
また、第２、第３の溶着部（上部溶着部、下部溶着部）３５〜３７が、カード収納部４１〜４４の一端縁１２から離れていると、合成樹脂シート１１の一端縁（開放端縁）１２が大きく捲れるので、係止片５１，５５，６１，６５が合成樹脂シート１１の一端縁（開放端縁）１２を係止していた場合、合成樹脂シート１１の一端縁（開放端縁）１２が係止片５１，５５，６１，６５の係止を解除してしまう虞があるが、カード収納部４１〜４４の一端縁１２近傍に設けられているので、合成樹脂シート１１の一端縁（開放端縁）１２が捲れ難くなっており、前記した係止片５１，５５，６１，６５の係止を確実にすることができる。
【００５１】
カード収納具１は、台紙２に、係止片５１，５５，６１，６５を覆い、係止片５１，５５，６１，６５を引き出せないようにする剥離片７０が剥離可能に貼着されているので、不用意に係止片５１，５５，６１，６５を引き出すことがない。また、前記剥離片７０が透過性を有する軟質合成樹脂シートによって形成されている場合には、係止片５１，５５，６１，６５の存在を視認することができる。
【００５２】
上記したカードホルダ−８０は、表表紙と裏表紙の大きさをカード収納具１と略同じに形成したが、図６乃至図８に示すカードホルダー８５のように、表紙の大きさを変えてカード収納具１を抱持させるようにしても良い。当該カードホルダー８５は、裏表紙８７が表表紙８６より長く形成されている。長く形成されている方向は、リング状綴じ具８１の軸心方向と直角の方向（表紙の回転中心方向と直角の方向）である。
【００５３】
裏表紙８７は、裏表紙本体８８と、裏表紙本体８８の先端に折曲可能に設けられた表折り部８９と、表折り部８９の先端に折曲可能に設けられた裏折り部９０とからなる。裏折り部９０の表面中央には、面ファスナー９１が設けられている。表表紙８６の裏面中央には、前記裏表紙８７の面ファスナー９１と係脱可能な面ファスナー９２が設けられている。
【００５４】
カードホルダー８５は、裏表紙８７を折曲し、裏折り部９０の面ファスナー９１に表表紙８６の面ファスナー９２を係着させて持ち運ぶことができる。かかる場合、表表紙８６と裏表紙８７の裏面がカード収納具１の係止片５１，５５，６１，６５を圧接するので、係止片５１，５５，６１，６５は、係止する方向に付勢されており、係止を解除することができない。そのため、カード収納部４１〜４４に収納されたカードＣは、カード収納部４１〜４４内から飛び出すことがない。なお、表表紙８６と裏表紙８７を連結する連結部材は、前記面ファスナーに限定されず、例えば、雄留め具と雌留め具とからなるスナップであってもよい。
【産業上の利用可能性】
【００５５】
本願発明は、写真、名刺、テレフォンカード、ゲーム用カード等のカード全般の収納具として利用することができるものである。
【図面の簡単な説明】
【００５６】
【図１】本願発明に係るカード収納具の一つの実施の形態を示す全体平面図である。
【図２】図１の要部拡大図である。
【図３】図１のカード収納具をカードホルダーに取り付けた状態を示す平面図である。
【図４】図１のカード収納具の要部断面図である。
【図５】カード収納具を取り付けたカードホルダーの説明図である。
【図６】他のカードホルダーの展開平面図である。
【図７】図７のカードホルダーの断面図である。
【図８】図７のカードホルダーの正面図である。
【符号の説明】
【００５７】
Ｃ  カード
Ｃ１  上端縁
Ｃ２  下端縁
Ｃ３  先端縁
Ｃ４  後端縁（一端縁）
１  カード収納具
２  台紙
３  一方の面
５  他方の面
６  上端縁
７  下端縁
１１  合成樹脂シート
１２  一端縁
１３  他端縁
１４  上端縁
１５  下端縁
１６  綴じ孔
２１  長孔
２２  長孔
２３  長孔
２４  長孔
２５  長孔
２６  長孔
２７  長孔
３１  溶着部（第１の溶着部、他端側溶着部）
３２  溶着部（第１の溶着部、他端側溶着部）
３３  溶着部（第１の溶着部、他端側溶着部）
３４  溶着部（第１の溶着部、他端側溶着部）
３５  溶着部（第２の溶着部、上部溶着部）
３６  溶着部（第３又は第２の溶着部、下部又は上部溶着部）
３７  溶着部（第３の溶着部、下部溶着部）
４１  カード収納部
４２  カード収納部
４３  カード収納部
４４  カード収納部
５１  係止片
５２  切り込み
５３  接続線
５５  係止片
５６  切り込み
５７  接続線
６１  係止片
６２  切り込み
６３  接続線
６５  係止片
６６  切り込み
６７  接続線
７０  剥離片
８０  カードホルダー
８１  綴じ具
８５  カードホルダー
８６  表表紙
８７  裏表紙
８８  裏表紙本体
８９  表折り部
９０  裏折り部
９１  面ファスナー
９２  面ファスナー
【図１】
2007307715.tif 000003
【図２】
2007307715.tif 000004
【図３】
2007307715.tif 000005
【図４】
2007307715.tif 000006
【図５】
2007307715.tif 000007
【図６】
2007307715.tif 000008
【図７】
2007307715.tif 000009
【図８】
2007307715.tif 000010